(57)【要約】      （修正有）【課題】自毛を損傷させることなく、容易かつ効率的なヘアエクステンション用治具を提供する。【解決手段】中空円筒部材４と、中空円筒部材４の外殻６に設けられた擬毛用切り込み部１０と自毛用切り込み部２０とを備え、擬毛用切り込み部１０は、外殻６に設けられた切り込みにより基端部で外殻と繋がった片持ち梁状の外殻６の一部からなる擬毛用片持ち部を有し、擬毛用片持ち部及び外殻６の間に擬毛が挟み込まれて保持され、自毛用切り込み部２０は、外殻６の一部からなる自毛用片持ち部を有し、自毛用片持ち部及び外殻６の間に自毛が挟み込まれて保持され、自毛用片持ち部２０の内面側に弾性部材が取り付けられており、自毛用片持ち部及び外殻の間に自毛が挟み込まれた状態において、弾性部材の少なくとも一部が、切り込みにより生じた外殻の開口の内側面または外殻の内面に接しているヘアエクステンション用治具２。【選択図】図１
2020165002.tif 000002
【特許請求の範囲】
【請求項１】
中空円筒部材と、
前記中空円筒部材の外殻に設けられた複数の擬毛用切り込み部と、
前記中空円筒部材の外殻に設けられた１つの自毛用切り込み部と、
を備え、
前記擬毛用切り込み部は、前記外殻に設けられた切り込みにより基端部で前記外殻と繋がった片持ち梁状の前記外殻の一部からなる擬毛用片持ち部を有し、前記擬毛用片持ち部及び前記外殻の間に擬毛が挟み込まれて保持され、
前記自毛用切り込み部は、前記外殻に設けられた切り込みにより基端部で前記外殻と繋がった片持ち梁状の前記外殻の一部からなる自毛用片持ち部を有し、前記自毛用片持ち部及び前記外殻の間に自毛が挟み込まれて保持され、
前記自毛用片持ち部の内面側に前記自毛用片持ち部の外形よりも大きな外形を有する弾性部材が取り付けられており、
前記自毛用片持ち部及び前記外殻の間に自毛が挟み込まれた状態において、前記弾性部材の少なくとも一部が、切り込みにより生じた前記外殻の開口の内側面または前記外殻の内面に接していることを特徴とするヘアエクステンション用治具。
【請求項２】
前記擬毛用片持ち部及び前記自毛用片持ち部が、前記基端部からなる第１辺、前記切り込みにより画定された第２辺及び第３辺を有する略三角形の形状を有することを特徴とする請求項１に記載のヘアエクステンション用治具。
【請求項３】
複数の前記擬毛用切り込み部が前記中空円筒部材の長手方向に並んで配置されていることを特徴とする請求項１または２に記載のヘアエクステンション用治具。
【請求項４】
前記中空円筒部材の長手方向から見た側面視において、前記擬毛用切り込み部及び前記自毛用切り込み部が略９０度をなす角度に配置されていることを特徴とする請求項１から３の何れか１項に記載のヘアエクステンション用治具。
【請求項５】
前記中空円筒部材の長手方向と直交する方向において、前記擬毛用切り込み部及び前記自毛用切り込み部が互いに重なり合う位置に配置されている請求項４に記載のヘアエクステンション用治具。
【請求項６】
前記擬毛用切り込み部及び前記自毛用切り込み部において、前記中空円筒部材の一方の端部側から他方の端部側へ向かって切り込まれており、切り込みにより生じた前記外殻の開口が前記基端部よりも前記一方の端部側に配置されていることを特徴とする請求項１から５の何れか１項に記載のヘアエクステンション用治具。
【発明の詳細な説明】
【技術分野】
【０００１】
本開示は、使用者の自毛に増毛用毛髪であるヘアエクステンションを装着するときに用いるヘアエクステンション用治具に関する。
【背景技術】
【０００２】
使用者の自毛に増毛用毛髪であるヘアエクステンションを装着する増毛法が知られている。その中には、ヘアエクステンションを使用者の自毛に装着するために用いる治具が提案されている（例えば、特許文献１参照）。特許文献１に記載の治具は、治具本体の先端にピンセット状の毛髪把持部を有し、使用者の自毛を毛髪把持部で掴んで、治具本体に結びつけられた増毛用毛髪を毛髪把持部から自毛へ移動させて装着することができる。
【先行技術文献】
【特許文献】
【０００３】
【特許文献１】特開２００６−１５２４８６号
【発明の概要】
【発明が解決しようとする課題】
【０００４】
特許文献１に記載の治具では、毛髪把持部を通過させて増毛用毛髪を自毛へ移動させるので、効率的な増毛用毛髪の装着が期待できる。しかし、ピンセット状の毛髪把持部で使用者の自毛を掴むので、自毛が損傷したり、自毛が抜け落ちる可能性がある。また、毛髪把持部で自毛を掴むために、押圧杆を押し続ける必要があるので、作業者の片手がこのために塞がってしまい、容易に増毛用毛髪を自毛に取り付けることはできず、作業効率も低下する問題が生じる。
【０００５】
本開示は、上記の課題を解決するものであり、自毛を損傷させることなく自毛に取り付けることが可能で、容易かつ効率的にヘアエクステンションを使用者の自毛に装着することができるヘアエクステンション用治具を提供することを目的とする。
【課題を解決するための手段】
【０００６】
上記の課題を解決するため、本開示の１つの実施態様に係るヘアエクステンション用治具は、
中空円筒部材と、
前記中空円筒部材の外殻に設けられた複数の擬毛用切り込み部と、
前記中空円筒部材の外殻に設けられた１つの自毛用切り込み部と、
を備え、
前記擬毛用切り込み部は、前記外殻に設けられた切り込みにより基端部で前記外殻と繋がった片持ち梁状の前記外殻の一部からなる擬毛用片持ち部を有し、前記擬毛用片持ち部及び前記外殻の間に擬毛が挟み込まれて保持され、
前記自毛用切り込み部は、前記外殻に設けられた切り込みにより基端部で前記外殻と繋がった片持ち梁状の前記外殻の一部からなる自毛用片持ち部を有し、前記自毛用片持ち部及び前記外殻の間に自毛が挟み込まれて保持され、
前記自毛用片持ち部の内面側に前記自毛用片持ち部の外形よりも大きな外形を有する弾性部材が取り付けられており、
前記自毛用片持ち部及び前記外殻の間に自毛が挟み込まれた状態において、前記弾性部材の少なくとも一部が、切り込みにより生じた前記外殻の開口の内側面または前記外殻の内面に接している。
【発明の効果】
【０００７】
本開示では、自毛を損傷させることなく自毛に取り付けることが可能で、容易かつ効率的にヘアエクステンションを使用者の自毛に装着することができるヘアエクステンション用治具を提供することができる。
【図面の簡単な説明】
【０００８】
【図１】本開示の１つの実施形態に係るヘアエクステンション用治具の構造を模式的に示す斜視図である。
【図２】図１に示すヘアエクステンション用治具の擬毛用切り込み部を拡大して示す斜視図である。
【図３】図１に示すヘアエクステンション用治具の自毛用切り込み部を拡大して示す斜視図である。
【図４】図３のＢ−Ｂ断面を示す断面図である。
【図５】図１の矢視Ａ−Ａを示す側面図である。
【図６】ヘアエクステンション用治具を用いたヘアエクステンションの装着方法を示す図であって、ヘアエクステンション用治具に複数の擬毛を取り付けたところを示す図である。
【図７】ヘアエクステンション用治具を用いたヘアエクステンションの装着方法を示す図であって、複数の擬毛を取り付けられたヘアエクステンション用治具を使用者の自毛に取り付けたところを示す図である。
【図８】ヘアエクステンション用治具を用いたヘアエクステンションの装着方法を示す図であって、第１の領域による輪を中空円筒部材の軸方向に移動させ、自毛用切り込み部を通過させるところを示す図である。
【図９】ヘアエクステンション用治具を用いたヘアエクステンションの装着方法を示す図であって、第１の領域による輪を中空円筒部材の軸方向に移動させ、中空円筒部材の一方の端部を通過させたところを示す図である。
【図１０】ヘアエクステンション用治具を用いたヘアエクステンションの装着方法を示す図であって、第１の領域による輪の中に使用者の自毛を挿入させたところを示す図である。
【図１１】ヘアエクステンション用治具を用いたヘアエクステンションの装着方法を示す図であって、第１の領域による輪を自毛の長手方向の所望の位置まで移動させたところを示す図である。
【図１２】ヘアエクステンション用治具を用いたヘアエクステンションの装着方法を示す図であって、第１の領域による輪を狭めて自毛に密着させ、結び目を絞り込んで擬毛を自毛に固定するところを示す図である。
【図１３】結び目を形成する方法を示すモデルを用いた図（写真）であって、中空円筒部材の外殻を囲んで、外殻を囲んだ輪を形成する第１の領域、第１の領域の長手方向両側に延在する第２領域及び第３の領域を示す図である。
【図１４】結び目を形成する方法を示すモデルを用いた図（写真）であって、第２の領域を第３の領域の外周を囲むようにして一重結びを行って、第２の領域で形成された一重結びの輪の中に第３の領域が通された結び目を形成するところを示す図である。
【図１５】結び目を形成する方法を示すモデルを用いた図（写真）であって、第１の領域による輪を中空円筒部材の一方の端部を通過させて、使用者の自毛を輪の中に挿入させたところを示す図である。
【図１６】結び目を形成する方法を示すモデルを用いた図（写真）であって、第１の領域による輪を自毛の長手方向の所望の位置まで移動させ、第３の領域を結び目に対して先端側に引くことにより、自毛を囲む輪を狭めて密着させたこところを示す図である。
【図１７】結び目を形成する方法を示すモデルを用いた図（写真）であって、第２の領域を結び目に対して先端側に引くことにより、結び目を絞り込んで、自毛に密着した自毛を囲む輪の状態を保持させて、擬毛を自毛に固定するところを示す図である。
【発明の詳細な説明】
【０００９】
以下、図面を参照しながら、本開示を実施するための実施形態や実施例を説明する。なお、以下に説明するかつらベースやかつらは、本開示の技術思想を具体化するためのものであって、特定的な記載がない限り、本開示を以下のものに限定しない。各図面が示す部材の大きさや位置関係等は、説明を明確にするため、誇張して示している場合もある。
【００１０】
(本開示の１つの実施形態に係るヘアエクステンション用治具）
はじめに、図１を参照ながら、本開示の１つの実施形態に係るアエクステンション用治具の構造の概要を説明する。図１は、本開示の１つの実施形態に係るヘアエクステンション用治具の構造を模式的に示す斜視図である。
【００１１】
本実施形態に係るヘアエクステンション用治具２は、中空円筒部材４と、中空円筒部材４の外殻６に設けられた複数の擬毛用切り込み部１０と、中空円筒部材４の外殻６に設けられた１つの自毛用切り込み部２０とを備える。
図１に示すヘアエクステンション用治具２では、１０個の擬毛用切り込み部１０が、中空円筒部材４の長手方向に並んで配置されている。ただし、擬毛用切り込み部１０の個数は１０に限られるものではなく、２以上の任意の数を採用することができる。自毛用切り込み部２０は、中空円筒部材４の一方の端部４A側に設けられている。
【００１２】
後述するように、ヘアエクステンション用治具２の擬毛用切り込み部１０の切り込みにヘアエクステンションとなる擬毛を挿入して取り付ける。擬毛用切り込み部１０に取り付けられた擬毛を用いて、中空円筒部材４の周りを囲むような輪を作って結び目を形成する。このように形成された擬毛をヘアエクステンションと称する。その後、自毛用切り込み部２０の切り込みに使用者の自毛を挿入することにより、複数のヘアエクステンションが取り付けられたヘアエクステンション用治具２を使用者の自毛に取り付けることができる。
【００１３】
中空円筒部材４は、弾性を有する樹脂材料から形成されることが好ましい。中空円筒部材４の外径は、５ｍｍから２０ｍｍを例示することができる。中空円筒部材４の長さは、短いと設置する擬毛用切り込み部１０の数が少なくなり、長いと重量が増して、自毛に取り付けた場合に外れ易くなる。よって、用途に応じて設置する擬毛用切り込み部１０の数を定め、それに応じた最適な長さを定めることが好ましい。中空円筒部材４の長さとして、３０ｍｍから１００ｍｍを例示することができる。中空円筒部材４の外殻６の厚みとしては、０．２ｍｍから０．６ｍｍを例示することができる。例えば、市販されている樹脂製のストローを中空円筒部材４として用いることもできる。
【００１４】
＜擬毛用切り込み部＞
次に、図２を参照しながら、擬毛用切り込み部１０について詳細に説明する。図２は、図１に示すヘアエクステンション用治具の擬毛用切り込み部を拡大して示す斜視図である。
擬毛用切り込み部１０は、外殻６に設けられた切り込みにより基端部１２Ａで外殻６と繋がった片持ち梁状の外殻６の一部からなる擬毛用片持ち部１２を有する。擬毛は、擬毛用片持ち部１２及び外殻６の間に挟み込まれて保持される。中空円筒部材４は弾性を有するので、擬毛用片持ち部１２による片持ち梁は、外殻６側に閉じる方向の力を受け、擬毛を確実に挟み込んで保持することができる。
【００１５】
本実施形態では、擬毛用片持ち部１２が、基端部からなる第１辺１２Ａ、切り込みにより画定された第２辺１２Ｂ及び第３辺１２Ｃを有する略三角形の形状を有している。このような形状を有することにより、Ｖ字形に直線的に切り欠くことによって、容易に擬毛用片持ち部１２を形成することができる。
ただし、擬毛用片持ち部１２は、略三角形の形状を有する場合に限られるものではなく、曲線状の外形を有する場合や、４角形以上の任意の多角形の形状を有する場合もあり得る。用途に応じて、任意の形状を採用することができる。
【００１６】
本実施形態では、複数の擬毛用切り込み部１２が、中空円筒部材４の長手方向に並んで配置されている。複数の擬毛用切り込み部１２が中空円筒部材４の長手方向に並んで配置されることにより、多くの擬毛を、作業性を低下させることなく効率的に配置することができる。
【００１７】
＜自毛用切り込み部＞
次に、図３及び図４を参照しながら、自毛用切り込み部２０について詳細に説明する。図３は、図１に示すヘアエクステンション用治具の自毛用切り込み部を拡大して示す斜視図である。図４は、図３のＢ−Ｂ断面を示す断面図である。
自毛用切り込み部２０は、外殻６に設けられた切り込みにより基端部２２Ａで外殻６と繋がった片持ち梁状の外殻６の一部からなる自毛用片持ち部２２を有する。自毛は、自毛用片持ち部２２及び外殻６の間に挟み込まれて保持される。中空円筒部材４は弾性を有するので、自毛用片持ち部２２による片持ち梁は、外殻６側に閉じる方向の力を受け、自毛を確実に挟み込んで保持することができる。
【００１８】
更に詳細に述べれば、自毛用片持ち部２２の内面側には、自毛用片持ち部２２の外形よりも大きな外形を有する弾性部材２４が取り付けられている。弾性部材２４は、樹脂材料で形成することが好ましい。例えば、接着剤を用いて、弾性部材２４を自毛用片持ち部２２の内面に固定することができる。
弾性部材２４は、自毛用片持ち部２２の内面の全面を覆う場合もあり得るし、自毛用片持ち部２２の内面の外周側のみを覆う場合もあり得る。弾性部材２４が自毛用片持ち部２２の内面の全面を覆う場合には、自毛は、弾性部材２４を介して、自毛用片持ち部２２及び外殻６の間に挟み込まれて保持されることになる。
【００１９】
図４の断面図に示すように、自毛用片持ち部２２の内面側にその外形よりも大きな外形を有する弾性部材２４が取り付けられているので、自毛用片持ち部２２（弾性部材２４）及び外殻６の間に自毛が挟み込まれた状態において、弾性部材２４の少なくとも一部が、切り込みにより生じた外殻６の開口の内側面６Ｃまたは外殻６の内面６Ｂに接している。
自毛が挟み込まれた領域では、弾性部材２４は外殻６の外面６Ａより上側に位置するが、自毛用片持ち部２２及び弾性部材２４は弾性変形可能なので、作業者が自毛用片持ち部２２を上から押圧することにより、自毛用片持ち部２２の先端側をはじめとする自毛用片持ち部２２の少なくとも一部の領域で、弾性部材２４が外殻６の開口の内側面６Ｃまたは外殻６の内面６Ｂに接するようになる。
【００２０】
これにより、自毛を自毛用片持ち部２２（弾性部材２４）及び外殻６の間で確実に保持することができる。これにより、仮に、ヘアエクステンション用治具２に多くの擬毛が装着されて比較的大きな重量を有する場合や、作業中にヘアエクステンション用治具２に力が加わった場合であっても、ヘアエクステンション用治具２が使用者の自毛から外れることを防ぐことができる。
【００２１】
本実施形態では、上記の擬毛用片持ち部１２と同様に、自毛用片持ち部２２が、基端部２２Aからなる第１辺、切り込みにより画定された第２辺２２Ｂ及び第３辺２２Ｃを有する略三角形の形状を有している。このような形状を有することにより、Ｖ字形に直線的に切り欠くことによって、容易に自毛用片持ち部２２を形成することができる。
ただし、自毛用片持ち部２２が略三角形の形状を有する場合に限られるものではなく、曲線状の外形を有する場合や、４角形以上の任意の多角形の形状を有する場合もあり得る。用途に応じて、任意の形状を採用することができる。
【００２２】
＜擬毛用切り込み部及び自毛用切り込み部の配置＞
次に、図５を参照しながら、擬毛用切り込み部１０及び自毛用切り込み部２０の配置について説明する。図５は、図１の矢視Ａ−Ａを示す側面図である。
図５から明らかなように、中空円筒部材４の長手方向から見た側面視において、擬毛用切り込み部１０及び自毛用切り込み部２０が略９０度をなす角度に配置されている。このように、擬毛用切り込み部１０及び自毛用切り込み部２０が略９０度をなす角度に配置することにより、エクステンションの装着作業において、自毛用切り込み部２０に取り付けられた自毛と、擬毛用切り込み部１０に取り付けられた擬毛とが干渉するのを抑制することができる。これにより、擬毛からなるヘアエクステンションの自毛への装着を効率的に行うことができる。
【００２３】
擬毛用切り込み部１０及び自毛用切り込み部２０が略９０度をなす角度に配置されているので、中空円筒部材４の長手方向において、擬毛用切り込み部１０及び自毛用切り込み部２０を近接して配置しても、作業中に、自毛用切り込み部２０で取り付けられた自毛及び擬毛用切り込み部１０に取り付けられた擬毛が干渉することを抑制できる。
よって、本実施形態では、中空円筒部材４の長手方向と直交する方向において、自毛用切り込み部２０及び擬毛用切り込み部１０が互いに重なり合う位置に配置されている。このような配置により、擬毛で形成された輪を、自毛用切り込み部２０を通過させるときに効率良く行うことができ、更にヘアエクステンション用治具２の小型化にも貢献する。
【００２４】
図１から明らかなように、本実施形態では、擬毛用切り込み部１０及び自毛用切り込み部２０の切り込みの方向は同じ方向を向いている。よって、擬毛用切り込み部１０に取り付けられた擬毛で形成された輪を、第１辺（基端部）１２A側から第２辺１２Ｂ及び第３辺１２Ｃ側へ引き出して、擬毛用切り込み部１０から取り外し、中空円筒部材４の長手方向で同じ方向に移動させた場合、自毛用切り込み部２０を通過するとき、第１辺（基端部）２２Ａから第２辺２２Ｂ及び第３辺２２Ｃ側へ移動するので、擬毛で形成された輪と自毛用切り込み部２０とが干渉することなくスムーズに移動できる。
【００２５】
(ヘアエクステンション用治具を用いたヘアエクステンションの装着方法）
次に、図６から図１２を参照しながら、本実施形態に係るヘアエクステンション用治具２を用いたヘアエクステンションの装着方法について説明を行う。図６から図１２は、何れもヘアエクステンション用治具を用いたヘアエクステンションの装着方法を示す図であって、図６は、ヘアエクステンション用治具に複数の擬毛を取り付けたところを示す図であり、図７は、複数の擬毛を取り付けられたたヘアエクステンション用治具を使用者の自毛に取り付けたところを示す図であり、図８は、第１の領域による輪を中空円筒部材の軸方向に移動させ、自毛用切り込み部を通過させるところを示す図であり、図９は、第１の領域による輪を中空円筒部材の軸方向に移動させ、中空円筒部材の一方の端部を通過させたところを示す図であり、図１０は、第１の領域による輪の中に、使用者の自毛を挿入させたところを示す図であり、図１１は、第１の領域による輪を自毛の長手方向の所望の位置まで移動させたところを示す図であり、図１２は、第１の領域による輪を狭めて自毛に密着させ、結び目を絞り込んで擬毛を自毛に固定するところを示す図である。
【００２６】
はじめに、中空円筒部材４の外殻６に複数の擬毛用切り込み部１０及び１つの自毛用切り込み部２０が設けられたヘアエクステンション治具２を準備する（ステップ１）。次に、複数の擬毛用切り込み部１０のうちの少なくとも一部の擬毛用切り込み部１０の切り込みに擬毛Ｇを挿入する。図６では、一例として、外殻６に設けられた１０個の擬毛用切り込み部１０の全てに擬毛Ｇが挿入された場合を示す（一点鎖線参照）。そして、擬毛Ｇで中空円筒部材４の外殻６を囲み、外殻６を囲んだ輪Ｒを形成する。この輪Ｒを形成する部分を第1の領域Ｇ１と称し、第1の領域Ｇ１の長手方向両側に延在する第２領域Ｇ２及び第３の領域Ｇ３を用いて結び目を形成する（ステップ２）。これにより、擬毛で形成されたヘアエクステンションＧが得られる。
【００２７】
本実施形態に係るヘアエクステンション用治具２を用いたヘアエクステンションの装着方法では、擬毛用切り込み部１０に擬毛Ｇが取り付けられるので、擬毛Ｇを手で保持する必要がない。よって、作業者は、両手を使って結び目を形成することができるので、作業性が向上し、結び目を迅速に容易に形成することができる。
なお、結び目を形成する方法として、既知の任意の結び方を適用することができるし、後述する、本開示の１つの実施形態に係る結び方を適用することもできる。
【００２８】
次に、図７に示すように、中空円筒部材４の自毛用切り込み部２０の切り込みに使用者の自毛Ｊを挿入することにより、複数のヘアエクステンションＧが取り付けられたヘアエクステンション用治具２を使用者の自毛に取り付けることができる（ステップ３）。そして、複数のヘアエクステンションＧのうち最も自毛Ｊに近いヘアエクステンションＧについて、中空円筒部材４を囲む第1の領域Ｇ１による輪Ｒを、中空円筒部材４の軸方向に移動させて、自毛用切り込み部２０を通過させ（図８参照）、中空円筒部材４の一方の端部４ａを通過させて（図９参照）、中空円筒部材４を囲んでいた第1の領域Ｇ１による輪Ｒの中に自毛Ｊを挿入させる（図１０参照）（ステップ４）。
【００２９】
次に、図１１に示すように、自毛Ｊを囲む輪Ｒを自毛Ｊの長手方向の所望の位置まで移動させる（ステップ５）。そして、結び目Ｍから先端側に延びた第２の領域Ｊ２及び第３の領域Ｊ３を先端側に引くことにより、自毛を囲む輪Ｒを狭めるとともに結び目を絞り込んで、ヘアエクステンションＧを自毛Ｊに固定することができる（ステップ６）。
上記のように、自毛用切り込み部２０の毛用片持ち部２２の内面側にその外形よりも大きな外形を有する弾性部材２４が取り付けられているので、ヘアエクステンション用治具２を使用者の自毛に確実に取り付けることができる。これにより、作業者は、両手を使ってステップ４からステップ６の作業を行うことができるので、容易かつ効率的にヘアエクステンションＧを使用者の自毛Ｊに装着することができる。
【００３０】
そして、全てのヘアエクステンションＧが自毛Ｊに固定されるまで、ステップ４からステップ６を繰り返す（ステップ７）。そして、中空円筒部材４の自毛用切り込み部２０の切り込みから自毛Ｊを引き出すことにより、ヘアエクステンション用治具２を自毛から取り外す（ステップ８）。このように、ヘアエクステンション用治具２を用いることにより、擬毛Ｇからなるヘアエクステンションを使用者の自毛Ｊに容易に効率的に取り付けることができる。
【００３１】
特に、擬毛用切り込み部１０及び自毛用切り込み部２０において、中空円筒部材４の一方の端部４Ａ側から他方の端部４Ｂ側へ向かって切り込まれ、切り込みにより生じた外殻６の開口が基端部１２Ａ、２２Ａよりも一方の端部４Ａ側に配置されている。
これにより、擬毛用切り込み部１０で保持されていた擬毛で形成された輪Ｒを、一方の端部４Ａ側に移動させることにより、容易に擬毛用切り込み部１０から取り外すことができる。更に、輪Ｒを一方の端部４Ａ側に移動させて、自毛用切り込み部２０を通過させるとき、自毛用切り込み部２０の基端部２２Ａ側から開口側に移動するので、自毛用切り込み部２０と干渉することなく、スムーズに輪Ｒを移動させることができる。
【００３２】
以上のように、擬毛用切り込み部１０により複数のヘアエクステンションＧが取り付けられたヘアエクステンション治具２を、自毛用切り込み部２０を用いて使用者の自毛に取り付けることができる。よって、作業者は両手を用いて、ヘアエクステンションＧの結び目を形成したり、ヘアエクステンションを使用者の自毛に装着するための作業を行うことができる。自毛用切り込み部２０の切り込みに自毛Ｊを挿入するだけなので、自毛を損傷させることなく自毛に取り付けることが可能で、容易かつ効率的にヘアエクステンションを使用者の自毛に取り付けることができる。特に、自毛用片持ち部２２の外形よりも大きな外形を有する弾性部材２４が取り付けられた自毛用切り込み部２０を用いて自毛に取り付けるので、自毛を損傷させることなく確実にヘアエクステンション治具を使用者の自毛に保持することができる。
【００３３】
中空円筒部材４の外殻６または自毛Ｊを囲む輪Ｒを形成する第1の領域、並びに第1の領域Ｇ１の長手方向両側に延在する第２の領域Ｇ２及び第３の領域Ｇ３については、輪Ｒの大きさによって、擬毛における絶対位置は変化する。つまり、輪Ｒを狭めた場合には、それまで第1の領域Ｇ１となっていた擬毛の部分が、第２の領域Ｇ２や第３の領域Ｇ３の一部となる場合がある。逆に、輪Ｒを拡げた場合には、それまで第２の領域Ｇ２や第３の領域Ｇ３となっていた擬毛の部分が、第1の領域Ｇ１の一部となる場合がある。何れの場合においても、中空円筒部材４の外殻６や自毛Ｊを囲む輪Ｒを形成する領域を第1の領域と称し、第1の領域Ｇ１の長手方向両側に延在する領域を第２の領域Ｇ２及び第３の領域Ｇ３と称する。
【００３４】
(本開示の１つの実施形態に係るヘアエクステンションの装着方法）
次に、図１３から図１７を参照しながら、本開示の１つの実施形態に係るヘアエクステンションの装着方法について説明する。特に、結び目Ｍの形成方法について詳しく説明する。図１３から図１７は、何れも、結び目を形成する方法を示すモデルを用いた図（写真）であって、図１３は、擬毛で中空円筒部材の外殻を囲み、外殻を囲んだ輪を形成する第１の領域、第１の領域の長手方向両側に延在する第２領域及び第３の領域を示す図であり、図１４は、第２の領域を第３の領域の外周を囲むようにして一重結びを行って、第２の領域で形成された一重結びの輪の中に第３の領域が通された結び目を形成するところを示す図であり、図１５は、第１の領域による輪を中空円筒部材の一方の端部を通過させて、使用者の自毛を輪の中に挿入させたところを示す図であり、図１６は、第１の領域による輪を自毛の長手方向の所望の位置まで移動させ、第３の領域を結び目に対して先端側に引くことにより、自毛を囲む輪を狭めて密着させたこところを示す図であり、図１７は、第２の領域を結び目に対して先端側に引くことにより、結び目を絞り込んで、自毛に密着した自毛を囲む輪の状態を保持させて、擬毛を自毛に固定するところを示す図である。
【００３５】
図１３に示すように、中空円筒部材４の外殻６に複数の擬毛用切り込み部１０及び１つの自毛用切り込み部２０が設けられたヘアエクステンション治具２’を準備し（ステップ１）、複数の擬毛用切り込み部１０のうちの少なくとも一部の擬毛用切り込み部１０の切り込みに擬毛Ｇが挿入する。
ヘアエクステンション治具２’として、上記のように、自毛用切り込み部２０の自毛用片持ち部２２に弾性部材２４が取り付けられているヘアエクステンション治具を用いることが好ましいが、これに限られるものではない。弾性部材を有さず、擬毛用切り込み部１０と同様に、自毛用片持ち部２２のみ有するヘアエクステンション治具を用いることもできる。
【００３６】
そして、図１４に示すように、擬毛Ｇで中空円筒部材４の外殻６を囲み、外殻６を囲んだ輪Ｒを形成する第1の領域Ｇ１の長手方向両側に延在する第２領域Ｇ２及び第３の領域Ｇ３のうち、第２の領域Ｇ２で第３の領域Ｇ３の外周を囲むようにして（矢印Ｓ参照）、一重結びを行って（矢印Ｔ参照）、第２の領域Ｇ２で形成された一重結びの輪の中に第３の領域Ｇ３が通された（矢印Ｕ参照）結び目Ｍを形成する（ステップ２）。これにより、擬毛で形成されたヘアエクステンションＧが得られる。
そして、中空円筒部材４の自毛用切り込み部２０の切り込みに使用者の自毛Ｊを挿入して、複数のヘアエクステンションＧが装着されたヘアエクステンション治具２’を使用者の自毛Ｊに取り付ける（ステップ３）。
【００３７】
次に、複数のヘアエクステンションＧのうち最も自毛Ｊに近いヘアエクステンションGについて、中空円筒部材４を囲む第1の領域Ｇ１による輪Ｒを中空円筒部材４の軸方向に移動させて、自毛用切り込み部２０及び中空円筒部材４の一方の端部４Ａを通過させる。これにより、図１５に示すように、中空円筒部材４を囲んでいた第1の領域Ｇ１による輪Ｒの中に自毛Ｊを挿入させることができる（ステップ４）。そして、自毛Ｊを囲む輪Ｒを自毛Ｊの長手方向の所望の位置まで移動させる（ステップ５）。
【００３８】
そして、結び目Ｍから先端側に延びた（つまり、一重結びの輪に通された）第３の領域Ｇ３を結び目Ｍに対して先端側に引くことにより（図１５の矢印Ｖ参照）、図１６に示すように、自毛Ｊを囲む輪Ｒを狭めて、輪Ｒを自毛Ｊに密着させることができる。また、結び目Ｍから先端側に延びた第２の領域Ｇ２を結び目Ｍに対して先端側に引くことにより（図１６の矢印Ｗ参照）、図１７に示すように、結び目Ｍを絞り込んで、自毛Ｊに密着した自毛Ｊを囲む輪Ｒの状態を保持させて、擬毛で形成されたヘアエクステンションＧを自毛Ｊに固定することができる（ステップ６）。
【００３９】
第２の領域Ｇ２または第３の領域Ｇ３を先端側に引く場合、結び目Ｍを手で押さえなくても、自毛Ｊの延在方向から角度を付けた方向に引くことにより、結び目Ｍに繋がった自毛Ｊを囲む輪Ｒが自毛Ｊで拘束されるので、結び目Ｍの位置も維持され、結び目Ｍに対して先端側に引くことができる。
上記では、まず、第３の領域Ｇ３を先端側に引いて自毛Ｊを囲む輪Ｒを狭め、その後、第２の領域Ｇ２を先端側に引いて結び目Ｍを絞り込むように記載されているが、実際の作業では、第２の領域Ｇ２及び第３の領域Ｇ３をほぼ同時に先端側に引くことにより、容易にヘアエクステンションＧを自毛Ｊの所望の位置に固定することができる。
【００４０】
全てのヘアエクステンションＧが自毛Ｊに固定されるまで、上記のステップ４からステップ６を繰り返す。（ステップ７）。そして、中空円筒部材４の自毛用切り込み部２０から自毛Ｊを引き出して、ヘアエクステンション治具２’を自毛Ｊから取り外す（ステップ８）。
【００４１】
以上のように、擬毛用切り込み部１０により複数のヘアエクステンションＧが取り付けられたヘアエクステンション治具２’を、自毛用切り込み部２０を用いて使用者の自毛に取り付けることができる。よって、作業者は両手を用いて、ヘアエクステンションＧの結び目を形成したり、ヘアエクステンションＧを使用者の自毛Ｊに装着するための作業を行うことができる。自毛用切り込み部２０の切り込みに自毛Ｊを挿入するだけなので、自毛を損傷させることなく、容易にヘアエクステンションを使用者の自毛に取り付けることができる。
【００４２】
特に、第２の領域Ｇ２で形成された一重結びの輪の中に第３の領域Ｇ３が通された結び目Ｍを採用することにより、シンプルな作業で、ヘアエクステンションＧの結び目Ｍを形成し、自毛Ｊを囲む輪Ｒを狭めて結び目Ｍを絞り込むことができるので、容易かつ効率的にヘアエクステンションを使用者の自毛Ｊに取り付けることができる。また、擬毛を用いるだけなので、自毛を損傷させることなく、低コストで使用者の自毛に装着可能することができる。また、結び目Ｍは、その大きさを小さくできるので、自然な外観を有するエクステンションＧを実現できる。
【００４３】
また、ヘアエクステンション治具２’では、複数の擬毛用切り込み部１２が、中空円筒部材４の長手方向に並んで配置されている。これにより、多くの擬毛Ｇを、作業性を妨げることなく効率的に配置することができる。
更に、中空円筒部材４の長手方向から見た側面視において、擬毛用切り込み部１０及び自毛用切り込み部２０が略９０度をなす角度に配置されている。これにより、エクステンションの装着作業において、自毛用切り込み部２０に取り付けられた自毛Jと、擬毛用切り込み部１０に取り付けられた擬毛Ｇが干渉するのを抑制することができる。これにより、擬毛で形成されたヘアエクステンションＧの自毛Ｊへの装着を効率的に行うことができる。
【００４４】
上記のヘアエクステンションの装着方法では、ヘアエクステンション治具２’の中空円筒部材４の複数の擬毛用切り込み部１０の切り込みに擬毛を挿入し、挿入された各擬毛で結び目Ｍを形成してエクステンションＧとする作業を行った後、自毛用切り込み部２０を用いてヘアエクステンション治具２’を使用者の自毛Ｊに取り付けているが、これに限られるものではない。例えば、複数の擬毛用切り込み部１０の切り込みに擬毛を挿入したヘアエクステンション治具２’を使用者の自毛に取り付け、その後、擬毛で結び目Ｍを形成してエクステンションＧとすることもできる。この場合、全ての擬毛について、結び目Ｍを作ってエクステンションＧを形成した後、各エクステンションＧの輪Ｒに使用者の自毛Ｊを挿入させて装着することもできるし、各々の擬毛において、結び目Ｍを作ってエクステンションＧを形成し、エクステンションＧの輪Ｒに使用者の自毛Ｊを挿入させて装着することもできる。
【００４５】
(本開示の１つの実施形態に係るヘアエクステンションの位置調整方法）
上記のようなヘアエクステンションの装着方法により、複数のヘアエクステンションＧを自毛Ｊに装着した場合、自毛Ｊが伸びるので、ヘアエクステンションの装着位置が自毛Ｊの先端側に移動し不自然な外観を呈する可能性がある。従来の擬毛の結束方法では、一度締め込んだ擬毛の結び目を緩めることは困難であった。しかし、本開示の１つの実施形態に係るヘアエクステンションの位置調整方法によれば、容易に結び目を緩めて、自毛に装着されたヘアエクステンションの位置を所望の位置に変更することができる。これについて、以下に詳細に説明する。
【００４６】
図１７に示すような、自毛Ｊに装着されたヘアエクステンションにおいて、矢印Ｘ及び矢印Ｙに示すように、絞り込まれた結び目Ｍが広がる外側の方向に第２の領域Ｇ２及び第３領域Ｇ３を引いて結び目Ｍを緩めて、自毛Ｊに密着していた自毛Ｊを囲む輪Ｒを広げることができる（ステップ９）。これにより、輪Ｒが自毛Ｊの長手方向に移動可能となるので、自毛Ｊを囲む輪Ｒを自毛Ｊの長手方向の所望の位置まで移動させる（ステップ１０）。そして、結び目Ｍから先端側に延びた第３の領域Ｇ３を結び目Ｍに対して先端側に引くことにより、自毛Ｊを囲む輪Ｒを狭めて自毛Ｊに密着させ、結び目Ｍから先端側に延びた第２の領域Ｇ２を結び目Ｍに対して先端側に引くことにより、結び目Ｍを絞り込んで、自毛Ｊを囲む輪Ｒが自毛Ｊに密着した状態を保持させて、エクステンションＧを再び自毛Ｊに固定することができる（ステップ１１）。
【００４７】
上記のヘアエクステンションの装着方法と同様に、第２の領域Ｇ２または第３の領域Ｇ３を自毛Ｊの延在方向から角度を付けた方向に引くことにより、容易に結び目Ｍに対して先端側に引くことができる。また、第２の領域Ｇ２及び第３の領域Ｇ３をほぼ同時に先端側に引くことにより、容易にヘアエクステンションＧを自毛Ｊの所望の位置に固定することができる。
【００４８】
以上のように、第２の領域Ｇ２で形成された一重結びの輪の中に第３の領域Ｇ３が通された結び目Ｍを採用することにより、容易に絞り込まれた結び目Ｍを緩めて、自毛Ｊの長手方向の所望の位置に移動することができる。そして、上記のヘアエクステンションの装着方法と同様に、第２の領域Ｇ２及び第３の領域Ｇ３を先端側に引くことにより、容易にヘアエクステンションＧを自毛Ｊに再固定することができる。
(本開示の１つの実施形態に係るヘアエクステンション）
以上のような装着方法で自毛Ｊに装着された本開示の１つの実施形態に係るヘアエクステンションについて、以下に詳細に説明する。
【００４９】
本実施形態に係るヘアエクステンションは、図１７に示すように、自毛Ｊを囲む輪Ｒを形成する第1の領域Ｇ１、第1の領域Ｇ１の長手方向両側に延在する第２の領域Ｇ２及び第３の領域Ｇ３から構成される。第２の領域Ｇ２で形成された一重結びの輪の中に第３の領域Ｇ３が通された結び目Ｍを有する（図１４参照）。
このような結び目Ｍにより、結び目Ｍから先端側に延びた第３の領域Ｇ３を結び目Ｍに対して先端側に引くことにより、自毛Ｊを囲む輪Ｒを狭めて自毛Ｊに密着させることができ、結び目Ｍから先端側に延びた第２の領域Ｇ２を結び目Ｍに対して先端側に引くことにより、結び目Ｍを絞り込んで、自毛Ｊに密着した自毛Ｊを囲む輪Ｒの状態を保持することができる。
【００５０】
本実施形態に係るエクステンションＧは、第２の領域Ｇ２で形成された一重結びの輪の中に第３の領域Ｇ３が通された結び目Ｍにより、確実に使用者の自毛に装着することができる。擬毛を用いるだけなので、自毛を損傷させることなく低コストで使用者の自毛に装着可能することができる。特に、結び目Ｍは、その大きさを小さくできるので、自然な外観を有するエクステンションＧを実現できる。
【００５１】
本実施形態に係るヘアエクステンションＧでは、絞り込まれた状態の結び目Ｍから先端側に延びた第２の領域Ｇ２及び第３領域Ｇ３を結び目Ｍが広がる外側の方向に引くことにより、結び目Ｍを緩めて、自毛Ｊに密着していた自毛Ｊを囲む輪Ｒを広げることができる。
【００５２】
これにより、容易に絞り込まれた結び目Ｍを緩めて、エクステンションＧを自毛Ｊの長手方向の所望の位置に移動することができる。そして、第２の領域Ｇ２及び第３の領域Ｇ３を先端側に引くことにより、容易にヘアエクステンションＧを自毛Ｊに再固定することができる。よって、容易に位置を調整可能なヘアエクステンションＧを提供できる。
【００５３】
以上のように、本開示の実施の形態を説明したが、本開示内容は構成の細部において変化してもよく、実施の形態における要素の組合せや順序の変化等は請求された本開示の範囲および思想を逸脱することなく実現し得るものである。
【符号の説明】
【００５４】
２、２’  ヘアエクステンション用治具
４    中空円筒部材
４Ａ  一方の端部
４Ｂ  他方の端部
６    外殻
６Ａ  外面
６Ｂ  内面
６Ｃ  内面開口の内側面
１０  擬毛用切り込み部
１２    擬毛用片持ち部
１２Ａ  第１辺（基端部）
１２Ｂ  第２辺
１２Ｃ  第３辺
２０    自毛用切り込み部
２２    擬毛用片持ち部
２２Ａ  第１辺（基端部）
２２Ｂ  第２辺
２２Ｃ  第３辺
Ｇ      ヘアエクステンション（擬毛）
Ｇ１    第1の領域
Ｇ２    第２の領域
Ｇ３    第３の領域
Ｍ      結び目
Ｒ      輪
Ｊ      自毛
【図１】
2020165002.tif 000003
【図２】
2020165002.tif 000004
【図３】
2020165002.tif 000005
【図４】
2020165002.tif 000006
【図５】
2020165002.tif 000007
【図６】
2020165002.tif 000008
【図７】
2020165002.tif 000009
【図８】
2020165002.tif 000010
【図９】
2020165002.tif 000011
【図１０】
2020165002.tif 000012
【図１１】
2020165002.tif 000013
【図１２】
2020165002.tif 000014
【図１３】
2020165002.tif 000015
【図１４】
2020165002.tif 000016
【図１５】
2020165002.tif 000017
【図１６】
2020165002.tif 000018
【図１７】
2020165002.tif 000019